(57)【要約】結果報告システムは、１つ以上の実験室サイトで試験結果を生成することができる。生成された試験結果のそれぞれは、従来の測定単位になることができる。次いで、結果報告システムは、試験結果のそれぞれを、正規化１０進相当の測定単位系に変換することができる。正規化１０進相当の測定単位は、試験結果の関連参照範囲に正規化される測定単位になることができる。正規化１０進相当の単位に変換されると、試験結果は、後の報告のために、大容量格納デバイスの中に格納することができる。次いで、トリガイベント（例えば、再検討エンティティからの要求）は、格納した試験結果を使用して結果報告を生成するように、報告システムをトリガすることができる。結果報告は、グラフ、表、または他のデータを伝達する方法で、正規化１０進相当の測定単位を使用して、試験結果を再検討エンティティに伝達することができる。
2012500403.tif 000002
【特許請求の範囲】
【請求項１】
コンピュータ実装方法であって、
第１の測定単位を有する試験結果値が、該試験結果と関連する参照範囲内にあるかどうかを決定することと、
該試験結果が該参照範囲内にある場合に、方程式：ＣＢ＝（ＣＵ−Ｌ）／ＳＦを使用して、該試験結果値を第２の測定単位に変換することであって、ＣＢは、該第２の測定単位における値であり、ＣＵは、該第１の測定単位における値であり、Ｌは、該参照範囲の下限であり、ＳＦは、スケーリング因子である、ことと
を含む、方法。
【請求項２】
前記スケーリング因子ＳＦは、方程式：ＳＦ＝（Ｈ−Ｌ）／ＳＲを使用して計算され、Ｈは、前記参照範囲の上限であり、ＳＲは、スケール範囲であり、該スケール範囲ＳＲは、１００という好ましい値を有する、請求項１に記載の方法。
【請求項３】
前記計算結果値が前記参照範囲の上限より大きいかどうかを決定することと、
該試験結果が該参照範囲の上限より大きい場合に、方程式：ＣＢ＝ＣＵ×１００／Ｈを使用して、該試験結果値を前記第２の測定単位に変換することであって、Ｈは、該参照範囲の上限の値に等しい、ことと
をさらに含む、請求項１または２に記載の方法。
【請求項４】
前記試験結果値が前記参照範囲の下限より小さいかどうかを決定することと、
該試験結果が該参照範囲の下限よりも小さい場合に、方程式：ＣＢ＝−（１００−ＣＵ×１００／Ｌ）を使用して、該試験結果値を前記第２の測定単位に変換することであって、Ｌは、該参照範囲の下限の値に等しい、ことと
をさらに含む、請求項１〜３のうちのいずれか１項に記載の方法。
【請求項５】
前記第１の測定単位における試験結果を生成することと、
該第１の測定単位における該試験結果を中央管理センターに伝送するステップであって、該中央管理センターは、該試験結果を該第１の測定単位から前記第２の測定単位に変換するステップを行う、ことと、
該第２の測定単位における該試験結果をメモリ格納装置に格納することと
をさらに含む、請求項１〜４のうちのいずれか１項に記載の方法。
【請求項６】
前記第２の測定単位における前記試験結果を携帯型計算デバイスに伝送することと、
該第２の測定単位における該試験結果を該携帯型計算デバイス上に表示することと
をさらに含む、請求項１〜５のうちのいずれか１項に記載の方法。
【請求項７】
電子デバイスであって、
ディスプレイと
１つ以上のプロセッサと、
メモリと、
１つ以上のプログラムと
を備え、該１つ以上のプログラムは、該メモリ内に格納され、該１つ以上のプロセッサによって実行されるように構成され、該プログラムは、
従来の単位における試験結果を１０進相当単位に変換する命令と、
該試験結果を該ディスプレイ上に表示する命令と
を含み、該試験結果を変換する命令はさらに、
試験結果値が前記試験結果と関連する参照範囲の範囲内にあるかどうかを決定するための命令と、
前記試験結果が前記参照範囲の範囲内にあると決定された場合に、方程式：ＣＢ＝（ＣＵ−Ｌ）／ＳＦを使用して、前記１０進相当単位の前記試験結果を変換するための命令であって、式中、ＣＢは、前記第２の測定単位の前記値であり、ＣＵは、前記第１の測定単位の値であり、Ｌは、前記参照範囲の下限であり、ＳＦは、スケーリング因子である、命令と
を含む、電子デバイス。
【請求項８】
１つ以上のユーザ入力に応答して、前記１０進相当単位の前記試験結果を表示し、かつ前記試験結果に関連する情報を提供するように動作可能である、グラフィカルユーザインターフェースを表示するための命令をさらに含む、請求項７に記載の電子デバイス。
【請求項９】
前記１０進相当単位の前記試験結果を前記メモリの中に格納するステップをさらに含む、請求項７または８の電子デバイス。
【請求項１０】
前記試験結果を変換するための前記命令はさらに、
前記計算結果値が前記参照範囲の上限より大きいかどうかを決定するための命令と、
前記試験結果が前記参照範囲の前記上限より大きい場合に、方程式：ＣＢ＝ＣＵ×１００／Ｈを使用して、前記試験結果値を１０進相当単位に変換するための命令であって、式中、Ｈは、前記参照範囲の前記上限の値に等しい、命令と
を含む、請求項７〜９のうちのいずれか１項に記載の電子デバイス。
【請求項１１】
前記試験結果を変換するための命令はさらに、
前記試験結果値が前記参照範囲の下限より小さいかどうかを決定するための命令と、
前記試験結果が前記参照範囲の前記下限よりも小さい場合に、方程式：ＣＢ＝−（１００−ＣＵ×１００／Ｌ）を使用して、前記試験結果値を前記第２の測定単位に変換するための命令であって、式中、Ｌは、前記参照範囲の前記下限の値に等しい、命令と
を含む、請求項７〜１０のうちのいずれか１項に記載の電子デバイス。
【請求項１２】
ディスプレイを伴う電子デバイス上のグラフィカルユーザインターフェースであって、
１つ以上のデータ点を有するグラフであって、各データ点は、１０進相当の測定単位の試験結果に対応する、グラフを備える、グラフィカルユーザインターフェース。
【請求項１３】
前記ユーザインターフェースは、１つ以上の選択可能な領域であって、各選択可能な領域は、前記データ点のうちの１つと関連する、選択可能な領域を含み、前記選択可能な領域のうちの１つの選択に応答して、前記関連データ点に関する情報を有するポップアップボックスが、前記グラフィカルユーザインターフェース上に表示される、請求項１２に記載のグラフィカルユーザインターフェース。
【請求項１４】
１つ以上のスライドバー上のユーザ選択に応答して、前記グラフ全体でナビゲートするように動作可能である、１つ以上のグラフィカルスライドバーをさらに備える、請求項１２または１３に記載のグラフィカルユーザインターフェース。
【請求項１５】
試験結果を報告するためのシステムであって、
通信ネットワークと、
検体の試験に基づいて従来の測定単位の試験結果を生成し、前記通信ネットワーク上で前記試験結果を伝送するように動作可能である、実験室サイトと、
前記通信ネットワークを介して前記実験室から試験結果を受信して、従来の単位の前記試験結果を正規化相当単位の試験結果に変換するように動作可能である、中央結果管理センターであって、前記正規化相当単位の前記試験結果を格納するようにさらに動作可能である、中央結果管理センターと、
前記中央結果管理センターから前記通信ネットワーク上で前記正規化相当単位の前記試験結果を受信するように動作可能である、サービスサイトであって、ディスプレイを有し、かつ前記試験結果を前記ディスプレイ上に表示するように動作可能である、１つ以上のコンピュータを備える、サービスサイトと
を備える、システム。
【発明の詳細な説明】
【技術分野】
【０００１】
（関連出願への相互参照）
本願は、２００８年８月１８日に出願された米国仮特許出願第６１／０８９，８５７号（発明の名称「Ｎｏｒｍａｌｉｚｅｄ  Ｄｅｃｉｍａｌ  Ｅｑｕｉｖａｌｅｎｔ  Ｓｙｓｔｅｍｓ  ａｎｄ  Ｍｅｔｈｏｄｓ」）に対する優先権を主張し、この仮特許出願は、本明細書においてその全体が参照により援用される。
【０００２】
（発明の分野）
開示された実施形態は、概して、試験結果報告システムに関する。
【背景技術】
【０００３】
（発明の背景）
臨床実験室試験の解釈は、一般的に、患者の結果を実験室試験「参照範囲」と比較する際の概念に関する。概して、参照範囲は、一組の医療試験結果を解釈するように、医療専門家によって使用される一組の値になる可能性がある。いくつかの事例において、範囲は、正規母集団の９５％がその範囲内に入る、一組の値として定義されてもよい。参照範囲はまた、一般に、「正常範囲」または「参照間隔」と称される。簡潔にするため、「参照範囲」という用語を本明細書で使用する。
【０００４】
しかしながら、参照範囲の使用は、数値的な実験室結果の解釈を複雑にする可能性がある。例えば、いくつかの従来の参照範囲系は、それぞれが実験室間でかなり変動する可能性がある、多数の単位および数値的結果を医師に示す。特定の実験室内であっても、数値的な実験室結果および関連する参照範囲は、例えば、方法、標本の種類、および採用される機器により、変動する可能性がある。したがって、性別、年齢層、および人種間の参照範囲の策定に使用される「正規」患者に伴う変動が存在する可能性がある。これは、さらに混乱を増大させる可能性がある。
【０００５】
参照範囲を使用した結果のコンピュータへの格納も、複雑になる可能性がある。例えば、いくつかのシステムは、関連する実験室結果を伴う参照範囲を転送かつ格納してもよい。さらに、いくつかのシステムは、実験室データを共有する病院システム上に格納された参照範囲表の使用を要求し、かつそれらの表を実験室コンピュータシステム上のそれらと厳密に一致させてもよい。後者のオプションでは、情報システム上に保管されたデータおよび関連する報告は、参照範囲が、より新しい診断方法によって頻繁に変化するので、しばしば、無効であり得、また、保管されたデータは、より古い、期限切れの参照範囲に基づいた診断方法に基づいて生成された場合がある。いくつかのコンピュータシステムにおいて、研究者は、より新しい診療方法のための付加的なコードを策定すること、および新しい結果コードを使用した新しい範囲を格納することが必要になり得る。したがって、正確な示度を有するために、より永続的な結果コードが、複数の結果コードにリンクされていることが必要になり得る。一方で、参照範囲が、各関連する結果とともに格納されている場合、保管されたデータに関する報告は、さらに容易に生成され得る。しかしながら、関連する参照範囲を伴う実験室結果の格納は、付加的な格納空間を必要とする可能性がある。
【０００６】
別の課題は、データの可搬性に関するものであった。近年、患者は、多数の異なるポイントオブケアサイト（例えば、診療所、緊急治療室、診療室等）に照会され得る。これらのポイントオブケアサイトのそれぞれは、異なる診断方法および測定器を使用し得、したがって、参照範囲および結果は、同様に、異なる診断方法および測定器の使用により、ポイントオブケアサイト間で大幅に異なり得る。したがって、試験方法に関わらない全ての実験室データの標準化は、特に患者がポイントオブケア間を移動する時に、非常に有用になり得る。
【０００７】
さらなる課題は、有用な形式のデータを表示することに関連させることができる。実験室のコンピュータおよびコンピュータ化された集計表上へのグラフ化およびトレンディングは、種々の単位、範囲の使用、および結果として生じる種々の検体（本明細書で引用される場合、「検体」とは、実験的な手順によって提供または検出される、あらゆる物質であることができる）の間のスケールの変動のため、複雑になる可能性がある。このため、３つ以下の変数をチャート上にプロットすると、しばしば、チャートの作成を伴わずに表示することができるものの大部分は、複雑になり過ぎて、読み取ること、および使用することができない。一方で、全ての実験室結果が正規化された場合、多数の試験結果を、単一のスケールを使用して、同じグラフ上にプロットして表示することが可能になり得る。
【０００８】
別の課題は、解析および結果報告のための直観的な方法およびシステムを提供することに関連させることができる。従来の実験室結果の報告に関する問題は、しばしば、結果が直観的ではないことである。例えば、医師は、しばしば、結果を解釈するように、別個の参照範囲のチャートを格納または参照しなければならない。この不具合に適合するために、いくつかの実験室のコンピュータは、高いおよび低い結果、重要な結果、およびデルタレンジチェックを超える結果を示すフラグのための「結果フラグ」を生成することができる。通知限度も、チャート報告に印刷すること、およびフラグを立てることができる。しかしながら、これらの付加的なフラグまたは文字は、何倍も不可解であり、医師による理解が不十分である。それらはまた、報告を混乱させ、結果のトレンディングおよび追跡をより困難にする。
【０００９】
さらに別の課題は、データクラッターであり得る。いくつかの事例において、参照範囲を結果の適切な解釈のために示す必要があり得るので、参照範囲を報告に印刷することが必要になり得る。いくつかの事例において、参照範囲を含有する報告の部分は、かなりの領域を占める可能性があり、時には、実際の試験結果よりも多くの領域を取る場合さえもあり得る。その結果、医師が、いくつかの従来の報告の中で、関連する実験室データの位置を見つけることが難しくなり、時間がかかり得る。
【００１０】
測定データの格納は、別の課題を提供する可能性がある。結果を伴う測定単位の格納は、相当量のメモリ容量を取る可能性がある。単位が参照範囲に含まれる場合、典型的に、付加的な格納空間が必要である。さらに、いくつかの実験室および病院は、ディスクの格納制限のため、例えば、３０日後に実験室データを消去している。これは、消去されたデータを、トレンディングおよび追跡に利用できなくする可能性がある。しかしながら、実験室結果が、参照範囲を伴わずに、および単位を伴わずに格納され得る場合、より多くのメモリ格納容量を利用できるようになり得、それによって、実験結果を、潜在的に利用できるように、すなわち、より長い期間にわたって「オンライン」にしたままにすることができるようになる。
【発明の概要】
【発明が解決しようとする課題】
【００１１】
結果的に、上述のように、数値的な実験室結果を報告する現在の方法およびシステムは、多くの不具合を有する。したがって、上記に説明される不具合のうちの一部または全てを解決する、試験結果を報告するための新しい方法およびシステムの必要性が存在する。
【課題を解決するための手段】
【００１２】
本発明の種々の実施形態によれば、一意的な結果報告システムは、以下の属性のうちの１つ以上で、数値的な実験室結果の報告を正規化することができる。１）参照範囲が、１つ以上の結果に反映することができる、２）結果に影響を及ぼす根本的因子（例えば、機器、年齢、性別、標本等）に関わらずに比較することができる結果、３）結果フラグの必要性を除去する、直観的であり得る範囲外の結果、４）基準範囲および単位の付随する格納が、もはや必要とされ得ない、および５）新しい結果報告システムは、従来の報告値および単位に容易に転換することができ、よって、システムは、有用な保管された実験室情報の損失を伴わずに採用され得る。
【００１３】
１０進相当スケールへの未処理実験室データの変換は、以下の多数の利点を有することができる。１）より直感的な結果の報告、それによって、医師が参照範囲を格納する必要性を排除する、２）方法、年齢、性別等に関わらない結果の比較性、３）未加工データの相当物と比較して、より少ないコンピュータの格納および検索要件、４）参照範囲を印刷すること、および医師報告に関する解釈のためのフラグの必要性の排除または低減、５）簡略化された保管データの格納、６）より良好な試験結果の実験室間の可搬性、７）コンピュータスクリーンおよびハンドヘルドの医師モジュール上のデータのグラフィカルな報告により適合できる、８）より少ない「データ」の混乱を伴う、より簡潔な実験室報告、それによって、関連するデータの発見をより簡単にする。
【００１４】
本発明の上述の実施形態、ならびにそれらの付加的な実施形態のさらなる理解のために、図面全体を通して同じ参照番号が対応する部品を参照する、以下の図面とともに、下記の発明を実施するための形態を参照すべきである。
【図面の簡単な説明】
【００１５】
【図１】図１は、いくつかの実施形態に従う結果報告システムの例示的な一実装例を示す、ブロック図である。
【図２】図２は、本発明の実施形態を、いくつかの実施形態に従って実装することができる、例示的なコンピュータシステムを示す図である。
【図３】図３は、いくつかの実施形態に従う、１０進相当値を報告するための例示的なプロセスを示す図である。
【図４】図４は、いくつかの実施形態に従う例示的なグラフィカルユーザインターフェースを示す図である。
【発明を実施するための形態】
【００１６】
結果を正規化するための方法およびシステムを説明する。以下の説明において、説明の目的で、本発明の完全な理解を提供するために、数多くの特定の詳細を記載する。しかしながら、本発明が、これらの特定の詳細のうちのいくつかを伴わずに実施され得ることは、当業者に明らかになるであろう。他の事例において、公知の構造およびデバイスは、ブロック図形式で示される。
【００１７】
本発明の種々の実施形態によれば、結果報告システムは、１つ以上の実験室サイトで試験結果を生成することができる。生成された試験結果のそれぞれは、従来の測定単位になることができる。次いで、結果報告システムは、結果報告システムは、試験結果のそれぞれを、正規化１０進相当の測定単位系に変換することができ、本明細書では、「ＣｅｎｔｉＢｌｉｃｋ」または「ＣＢ」測定単位と称することができる。第１の測定単位からＣｅｎｔｉＢｌｉｃｋ測定単位に試験結果を変換する例示的な実装は、この開示の後方でさらに詳細に説明される。ＣｅｎｔｉＢｌｉｃｋ単位に変換されると、試験結果は、後の報告のために、大容量格納デバイスの中に格納することができる。次いで、トリガイベント（例えば、再検討エンティティからの要求）は、格納した試験結果を使用して結果報告を生成するように、報告システムをトリガすることができる。結果報告は、グラフ、表、または他のデータを伝達する方法で、ＣｅｎｔｉＢｌｉｃｋ測定単位を使用して、試験結果を再検討エンティティに伝達することができる。いくつかの実施形態において、結果報告は、コンピュータディスプレイ上に表示することができ、かつ、選択された時に、表示された結果に関連する付加的な情報を表示する、選択可能なアイコンを含むことができる。
【００１８】
結果報告システムについて、多くの用途が存在する。例えば、結果報告システムは、ヘルスケアの試験報告環境で使用されてもよい。このような環境において、患者の実験室試験結果は、例えば、ＣｅｎｔｉＢｌｉｃｋ測定単位に変換することができる。次いで、患者の医師または他のヘルスケアの専門家等の再検討エンティティに結果を伝達するために、報告を生成することができる。報告は、表、グラフ、または再検討エンティティの理解および解釈が好都合かつ容易である他の形式で、ＣｅｎｔｉＢｌｉｃｋ測定単位の実験室結果を表示することができる。当然、ヘルスケア環境は、本発明の実施形態を実装することができる、１つの例示的な環境に過ぎない。例えば、数値的結果を解釈するために参照範囲が利用される他の環境の中で、種々の実施形態を使用することができる。具体的な例には、集中治療室における生命徴候の測定、成長パラメータ、および参照範囲が採用される他の医療測定が挙げられる。
【００１９】
したがって、本発明の報告システムについて例示的な一環境を説明することで、システム例示的な構成を説明することに有用になり得る。図１は、本発明の一実施形態に従う報告システム１００全体の例示的な一実装例を示す図である。以下、図１を参照すると、結果報告システム１００は、報告システム１００の種々の他の要素と通信で接触する実験室結果管理センター１０２を含むことができる。一実施形態において、実験室結果管理センター１０２は、実験室結果のサービス、特徴、および機能を提供するための中央管理センターを提供するように実装される。代替の実施形態において、本明細書で説明されるように、実験室結果管理センター１０２によって提供されるサービス、特徴、および機能は、この説明を読み取った後に当業者に明らかになるように、複数の設備または場所にわたって配信することができる。
【００２０】
実験室結果管理センター１０２の例示的実施形態は、その動作を促進するように１つ以上のコンピュータまたはワークステーション１２０を含むように、図１に示されている。実験室結果管理センター１０２はまた、実験室結果の報告プロセスで使用される種々のデータおよび他の情報を格納するように、１つ以上のデータベース１１２ａ、１１２ｂ、１１２ｃ〜１１２ｎを含むことができる。上述の実施例が示すように、データは、正規化および／または非正規化実験室結果のデータ、実験室結果に関連する参照範囲、クライアント固有の情報、データ解析および報告を行うためのコンピュータが読み取り可能な命令、ならびに試験結果データを処理および管理するために使用される他の情報に関連して保持することができる。別個のデータベース単位が示されているが、データ格納は、あらゆる物理的または論理的データ格納アーキテクチャ全体とすることができ、多数のデータベースモデルのうちのいずれかを実装することができる。一実施形態において、リレーショナルデータベース構造は、データの種々の別個のソースから応答の作成を促進するように使用される。
【００２１】
さらに図１を参照すると、結果報告システム１００は、試験結果情報を実験室結果管理センター１０２に提供するように、１つ以上の適切な実験室サイト１０４Ａ、１０４Ｂ〜１０４Ｎを含むことができる。概して、実験室サイト１０４は、例えば試験結果データを生成するための、試料の実験室試験を行うように使用される、実験室試験装置１２４を含むことができる。次いで、試験結果データは、１つ以上のコンピュータまたはサーバ１２６に入力し、さらなる処理、分析、および／または格納のために、実験室結果管理センター１０２に伝送することができる。いくつかの実施形態において、実験室サイト１０２は、大部分が自動化されているが、他の実施形態において、実験室サイト１０２で行われる機能のうちの多くは、手動で行うことができる。
【００２２】
実験室サイト１０４に含むことができる機能をより十分に示すために、医師が実験室試験のために患者から試料を採取する一実施例を考察する。次いで、医師または医師を支援する人は、試料を実験室サイト１０４に送ってもよい。実験室サイト１０４は、例えば同じ病院または医師の診療室の中といった、医師が試料を採取した場所の地理的に近くに位置付けることができ、または実験室サイト１０４は、医師が試料を採取した場所の地理的に遠くに位置付けることができる。後者の実施例において、医師または医師を支援する人は、郵便または他の発送手段を介して、試料を実験室サイト１０４に送ってもよい。実験室サイト１０４で受け取ると、試料は、例えば、実験室試験装置１２４を使用して試験されてもよい。次いで、実験室試験からの結果および／または結果に関する関連情報は、コンピュータ１２６の中に入力することができ、その情報のうちのいくつかまたは全ては、続いて、実験室結果管理センター１０２に伝送することができる。種々の実施形態によれば、試験結果データは、試験結果ならびに試験結果と関連する参照範囲の数値的な値を含むことができる。
【００２３】
さらに図１を参照すると、実験室結果管理センター１０２は、１つ以上の種々のイベントの発生時の適切な応答を伴う種々の設備を提供するように構成される。そのようなイベントの一例は、試験結果に関する情報に対する設備からの要求である可能性がある。このような要求側設備のためのいくつかの可能な構成の実施例を図１に示し、サービスサイト１０６Ａ、１０６Ｂ〜１０６Ｎと称する。特定の種類のサービスサイト１０６の例には、病院、診療室、看護師室、および他のヘルスケア関連サイトが挙げられる。このように、本発明の種々の実施形態において、実験室結果管理センター１０２または他の類似の機構は、これらの種々のサービスサイトを支持する、様々な実験室結果管理機能を行うように提供することができる。例えば、病院、診療室、または他のサービスサイト１０６は、種々の形態の実験室結果の分析および報告を日常的に処理する場合があるが、しかし、そのようなサービスサイト１０６自体が、日常的に取り扱う結果報告を適切に処理するのに必要である知識および他の技能セットを保持することは、実用的ではない場合がある。このように、１つ以上のサービスサイト１０６と通信する実験室結果管理センター１０２は、サービスサイト１０６が、それらの業務の過程で適切に結果報告を扱うように、排他的に、またはそれら自体の能力を補うものとして使用し得る、サービス、命令、情報、報告、および他の応答を提供することができる。
【００２４】
上述のように、実験室結果管理センター１０２は、集中化または分散化に関わらず、一実施形態において、地理的に様々な場所の複数のサービスサイト１０６に結果報告管理機能を提供することができる。図１に示される実施例は、一実施形態において、異なる種類および構成の複数のサービスサイト１０６が、実験室結果管理センター１０２によってサービスを提供することができることを示す、サービスサイト１０６Ａ、１０６Ｂ〜３８Ｎを示す。
【００２５】
さらに図１を参照すると、示される実施例において、２つの特定のサービスサイト１０６の構成は、サービスサイト１０６Ａおよびサービスサイト１０６Ｂとして示される。以下、これらの例示的な構成のそれぞれを説明するが、他のサービスサイトの構成は、本発明の精神および範囲の範囲内にあることが意図される。
【００２６】
サービスサイト１０６Ａの構成をより十分に説明するために、具体的な実施例に関してそれを説明することが有用である。サービスサイト１０６Ａが病院である場合の実施例を考察する。病院の大小に関わらず、大部分の病院は、医療記録および他の病院関連の業務の格納および検索を支援するように、いくつかの形態のコンピュータ化を含む。
【００２７】
サービスサイト１０６Ａは、１つ以上のコンピュータまたはサーバ１２２と、１つ以上のデータリポジトリ１１５と、遠隔ユーザインターフェース１２４とを含むように示される。例えば、看護師室または局の端末は、病院関連の業務に関する情報を入力するように使用されてもよい。これらのシステムのそれぞれは、医療記録および他の機能を保持するように、コンピュータシステム１２２およびデータリポジトリ１１５に接続することができる。コンピュータ１２２およびデータベース１１５は、実験室結果報告および分析機能を行うように構成される、専用のデバイスであってもよい。他の環境において、コンピュータ１２２およびデータベース１１５は、本明細書で説明される実験室結果および報告機能を行うソフトウェアまたは他の能力が提供された病院での他の業務のために使用されるものであってもよい。コンピュータ１２２と、データベース１１５と、他の設備リソースとの間の種々のレベルの統合化は、業務を促進するための所望に応じて提供することができる。
【００２８】
図示の実施形態において、サービスサイトのコンピュータ１０６、ならびに実験室結果管理センター１０２への遠隔およびポータブルなアクセス（またはサービスサイト１０６Ａの中またはその近くの種々の場所から実験室結果システム１００、といった他の側面）を可能にするように、１つ以上の遠隔入力装置１２４も含むことができる。このようなアクセスは、パーソナルコンピュータもしくはラップトップ；ＰＤＡ、スマートフォン、もしくは他のハンドヘルド計算デバイス；電話機；または他の適切なインターフェース機構等の、数多くの機構を介してもよい。遠隔入力装置１２４は、必ずしも実験室結果の報告および分析機能に限定されるわけではなく、他の設備業務の実行において使用することもできる。
【００２９】
デバイス間の通信を促進するように、遠隔ユーザインターフェース１２４とコンピュータシステム１２２との間に、有線または無線通信リンクを提供することができる。加えて、一実施形態において、遠隔端末１２４と結果報告システム１００の他の要素（例えば、実験室結果管理センター１０２を含む）との間にも直接通信リンクを提供することができる。
【００３０】
一実施形態において、遠隔ユーザインターフェース１２４は、業務のユーザ柔軟性および移動性を可能にする、ハンドヘルドの電池式デバイスとして実装することができる。無線通信に加えて、遠隔ユーザインターフェースを充電できるように、ならびにデータをシステム１００内の他の構成要素に転送できるようにするように、例えばドッキングステーション、クレイドル、または他の類似のデバイスを含む、有線インターフェースを含むことができる。
【００３１】
遠隔端末１２４に含むことができる機能を十分に示すために、医師が病院の中で回診する一実施例を考察する。この実施例において、医師は、患者の医療記録および他の情報にアクセスして患者の診断および治療を促進するように、遠隔端末１２４を使用することができる。この点に関して、医師は、遠隔端末１２４から患者の試験結果にアクセスすることができ、それによって、柔軟性および移動性を医師に提供する。本発明の実施形態によれば、試験結果は、正規化１０進相当単位（ＣｅｎｔｉＢｌｉｃｋ単位）の医師に提供されてもよい。さらに、これらの試験結果は、グラフ、表、または他の何らかの形式で遠隔端末上に表示されてもよく、医師は、試験結果に関するさらなる情報を得るように、遠隔端末１２４と相互作用してもよい。
【００３２】
サービスサイト１０６のさらに別の例示的な構成を示すために、以下、キオスク１２８が結果報告機能を保持するように提供される、サービスサイト１０６Ｂを参照する。キオスク１２８は、遠隔ユーザインターフェース１２４または他の入力装置に加えて、またはその代わりに使用することができる。キオスク１２８は、一実施形態において、ユーザが、例えば、実験室結果管理センター１０２から実験室結果、命令、および他の応答を要求および受信する等の、結果報告機能を行うことができるようにする、立ち寄り式端末を提供することができる。
【００３３】
キオスク１２８に含むことができる機能をより十分に示すために、患者が、試験のために標本を実験室サイト１０４ａに提供した場合の一実施例を考察する。試験が完了すると、実験室サイト１０４は、試験結果を実験室結果管理センター１０２に送信することができ、そこでは、試験結果がＣｅｎｔｉＢｌｉｃｋ単位に変換されて格納される。次いで、患者は、キオスクから試験結果にアクセスして再検討することができる。いくつかの実施形態によれば、キオスク１２８は、グラフまたは表等の容易に理解できる様式で試験結果を表示することができる。さらに、いくつかの実施形態において、患者は、キオスク１２８と相互作用することによって、試験結果に関するさらなる情報を得てもよい。
【００３４】
サービスサイト１０６のための２つの例示的な構成を提供してきたが、これらの実施例は、本明細書で説明されるように、結果報告システム１００の特徴および機能を達成するように、サービスサイト１０６のための他の構成およびアーキテクチャを実装できることを、この説明を読み取った後に当業者に示すのに役立つであろう。加えて、結果報告システム１００は、数多くの多種多様なサービスサイト１０６を扱うようにスケーリングされるような方法で実装することができる。
【００３５】
結果報告システム１００の種々の要素はまた、それら自体の中での通信、ならびに外部のエンティティとの通信を可能にするように、種々の通信構成要素を含んでもよい。例えば、ネットワーク１１０、または種々の結果報告システム間の、およびこれらの中での他の通信チャネル全体の通信を可能にするように、通信インターフェースを提供することができる。示された実施例は、ネットワーク１１０を介して実装される通信インターフェースを示す。図１には単一のネットワーククラウドが示されているが、結果報告システムの種々の要素の中での通信は、任意の数の異なる通信チャネルまたは機構を介して行うことができ、必ずしも単一の局所または広域ネットワークにわたる通信に限定されるわけではない。例えば、インターネット、公衆交換電話網（ＰＳＴＮ）、公衆および個人ネットワーク、携帯電話リンク、衛星リンク、および他の通信チャネル等の通信要素は、結果報告システムの種々の組み合わせの間の、およびそれらの中での通信の要素を提供するように、単独で、または種々の組み合わせで使用することができる。したがって、必ずしも要素の中での全ての通信が、単一の通信ネットワークを通して流れる必要はない。
【００３６】
また、図１には、遠隔アクセスサイト１０８が示されている。１つ以上の遠隔アクセスサイト１０８は、種々のユーザが、１つ以上の遠隔場所から結果報告システム１００にアクセスできるように提供することができる。したがって、適切なレベルのクリアランスまたは許可を伴う人は、結果報告システム１００に対する遠隔アクセス権が与えられてもよい。このような遠隔アクセスは、例えば、結果報告の管理活動を監視する能力、種々のイベントおよび応答を含む、結果報告プロセスに関する情報を収集する能力、業務を行う能力、あるいはシステムの外部の場所から結果報告システム１００の特徴および機能性にアクセスする能力を提供してもよい。
【００３７】
例えば、ユーザは、ユーザの自宅から、路上から、または他の遠隔場所から材料管理システムにログオンするためのアクセス情報が提供されてもよい。このようなアクセスは、パーソナルコンピュータもしくはラップトップ；ＰＤＡ、スマートフォン、もしくは他のハンドヘルド計算デバイス；電話機；または他の適切なインターフェース機構等の、数多くの機構を介してもよい。このように、要員は、種々の場所からのシステム１００との接触を保持してもよい。
【００３８】
以下、本発明の特徴が実装されてもよい例示的なサービスコンピュータを表す、コンピュータシステム２００を、図２を参照して説明する。計算システム２００は、例えば、デスクトップ、ラップトップおよびノートパソコン；ハンドヘルドの計算デバイス（ＰＤＡ、携帯電話、パームトップ等）；メインフレーム、スーパーコンピュータ、もしくはサーバ；または、所与の用途または環境に望ましい、または適切であり得る、あらゆる種類の他の専用もしくは汎用計算デバイスを表すことができる。
【００３９】
コンピュータシステム２００は、情報を通信するためのバスまたは他の通信手段２０１と、情報を処理するための、バス２０１と連結されるプロセッサ２０２等の処理手段とを含むことができる。コンピュータシステム２００はさらに、情報および処理装置２０２によって実行される命令を格納するための、バス２０１に連結される、ランダムアクセスメモリ（ＲＡＭ）または動的格納デバイス２０４（メインメモリと称される）を含むことができる。メインメモリ２０４はまた、プロセッサ２０２による命令の実行中に、一時変数または他の中間情報を格納するために使用されてもよい。コンピュータシステム２００はまた、プロセッサ２０２のための静的情報および命令を格納するための、バス２０１に連結される、リードオンリメモリ（ＲＯＭ）および／または他の静的格納デバイス２０６を有することができる。
【００４０】
磁気ディスクまたは光ディスク等のデータ格納デバイス２０７、およびその対応するドライブも、情報および命令を格納するために、コンピュータシステム２００に連結することができる。コンピュータシステム２００は、バス２０１を介して、情報をコンピュータユーザに表示するための、陰極線管（ＣＲＴ）または液晶ディスプレイ（ＬＣＤ）等の表示デバイス２２１に連結することができる。典型的に、英数字および他のキーを含む英数字入力デバイス２２２は、情報を通信するために、および／またはプロセッサ２０２に対するコマンド選択のために、バス２０１に連結され得る。他の種類のユーザ入力デバイスには、方向情報およびコマンド選択をプロセッサ２０２に通信するための、およびディスプレイ２２１上のカーソルの運動を制御するための、マウス、トラックボール、またはカーソル方向キー等の、カーソル制御２２３を含むことができる。
【００４１】
加えて、例えば、通信デバイス２２５は、ネットワーク１００を介して遠隔サーバにアクセスするための、バス２０１に連結することができる。通信デバイス２２５には、イーサネット（登録商標）、トークンリング、または他の種類のネットワークに連結するために使用されるもの等の、モデム、ネットワークインターフェースカード、または他の市販のネットワークインターフェースデバイスが挙げられる。いずれにせよ、このように、コンピュータシステム２００は、例えば、企業のイントラネットおよび／またはインターネット等の従来のネットワーク基板構造を介して、多数のサーバおよび／または他のサービスに連結することができる。
【００４２】
以下、正規化１０進相当の測定単位（ＣＢ）に試験結果を変換するための例示的なプロセス３００を、図３を参照して説明する。このプロセスと関連して行われる種々のタスクは、ハードウェア、ソフトウェア、ファームウェア、またはそれらのあらゆる組み合わせによって行われてもよい。このプロセスは、任意の数の付加的な、または代替のタスクを含んでもよく、図３に示されるタスクは、示されている順序で行われる必要はなく、また、このプロセスは、本明細書で詳細に説明されていない付加的な機能を有する、より包括的な手順またはプロセスの中に組み込まれてもよいことを理解されたい。説明の便宜上、以下のプロセスの説明は、図１〜２に関して上述した要素を参照する場合がある。
【００４３】
ステップ３０２において、結果管理センター１０２は、実験室サイト１０４によって生成された試験結果データを受信することができる。試験結果データは、従来の単位の１つ以上の試験結果およびそれらの関連する参照範囲を含むことができる。
【００４４】
次に、ステップ３０４において、プロセス３００は、従来の単位からＣｅｎｔｉＢｌｉｃｋ（正規化１０進相当単位）に試験結果を変換する。この点に関して、ガウスデータのための参照範囲は、平均−２ＳＤ（標準偏差）、平均−１ＳＤ、平均＋１ＳＤ、および平均＋２ＳＤの４つの象限に分割することができる。各象限は、ＣｅｎｔｉＢｌｉｃｋ単位システム上の割り当てられた２５の１０進相当になることができ、その各単位は、ＣｅｎｔｉＢｌｉｃｋ単位（ＣＢ）と称することができる。ＣｅｎｔｉＢｌｉｃｋ単位系は、種々のスケールを有することができる。ＣＢスケールが０〜１００の範囲であり、０という値が参照範囲の下限に対応する、一実施形態において、５０という値は、参照範囲の中点値に対応し、１００という値は、参照範囲の上限に対応する。次いで、０よりも小さい値は、正規値を下回っているとみなすことができ、１００よりも大きい値は、正規値を上回っているとみなすことができる。当然、０〜１００のスケールを使用する必要はなく、ユーザ選好に基づいて、０〜１０、０〜１０００等の他の範囲を使用することができる。
【００４５】
より十分に示すために、３．５〜６．５ｍｍｏｌ／Ｌの参照範囲の例示的なカリウムの実施例を考察する。この参照範囲は、ＳＤ＝＋／−１．５ｍｍｏｌ／Ｌを伴う５という平均を有する。この参照範囲は、平均として５０を伴う、０〜１００のスケールに変換することができる。５ｍｍｏｌ／Ｌのカリウムの結果は、ＣＢスケールにおける５０の値に対応し、結果が正規であるとみなされるものの中央にあることを示す。２ｍｍｏｌ／Ｌのカリウムの結果は、−２５のＣＢに対応し、結果が正規参照範囲を下回ることを示す。対照的に、８ｍｍｏｌ／Ｌのカリウムの結果は、１２５のＣＢに対応し、結果が正規参照範囲を上回ることを示す。したがって、医師または他の再検討エンティティは、ＣｅｎｔｉＢｌｉｃｋスケールを使用して、試験結果が参照範囲に対してどこに収まるのかを迅速かつ容易に判別することができる。換言すれば、再検討エンティティは、比較する必要はない。
【００４６】
種々の実施形態によれば、下記の式（１）は、参照範囲内の結果に対する、ＣｅｎｔｉＢｌｉｃｋ（ＣＢ）単位と従来の単位（ＣＵ）との間の関係を表す。
ＣＵ＝ＳＦ×ＣＢ＋Ｌ  （１）
式（１）において、ＣＵは、従来の単位の値であり、ＣＢは、ＣＢ単位の値であり、Ｌは、参照範囲の下限であり、ＳＦは、スケーリング因子である。スケーリング因子は、式（２）を使用して計算することができる。
ＳＦ＝（Ｈ−Ｌ）／ＳＲ  （２）
式（２）において、Ｈは、参照範囲の上限であり、ＳＲは、スケール範囲、すなわち、ＣｅｎｔｉＢｌｉｃｋスケールを使用して正常値がその間に入る範囲である。例えば、ＣｅｎｔｉＢｌｉｃｋスケール範囲が０〜１００である場合、ＳＲは、１００という値を有する。
【００４７】
次いで、式（１）は、ＣＢの値を求めることができ、結果として式（３）となる。
ＣＢ＝（ＣＵ−Ｌ）／ＳＦ  （３）
したがって、スケーリング因子および従来の参照範囲の下限の計算によって、従来の単位値を、１０進相当（ＣｅｎｔｉＢｌｉｃｋ）値に変換することができる。
【００４８】
種々の実施形態によれば、１００単位スケールが選択された。その理由は、１）１０進の使用を回避するため、２）否定的結果を、参照範囲を下回る検体の結果として容易に認識できること、３）上限および下限の倍数を容易に判別できること、および４）全体として参照範囲スケールを拡張するため、である。加えて、数値的な結果のスケールを変えることによって、もはやガウスおよび非ガウス範囲の差を意識する必要はなくなる。当然、本発明の実施形態による１００単位スケールの代わりに、他の単位スケールを使用することができる。例えば、０〜１、０〜１０、０〜１０００のスケール、または他のスケールを使用することができる。
【００４９】
１００単位スケールを使用することで、０から１００の間に入る値を有する結果を、「範囲内」の結果に対応させることができる。１００単位スケールはまた、１００分位数を近似することができ、したがって、実験室結果は容易に理解して患者に説明することができる。したがって、この系を使用した範囲という記述は、「明白な１００分位数」と称することができる。例えば、患者のコレステロール試験に関する１０ＣＢの結果は、年齢および性別適合母集団のうちの９０パーセントが、より高いコレステロール値を有することを示すことができる。これは、このコレステロールレベルが、参照範囲の「低い正規」部分の中に入ることを示すことができる。
【００５０】
「範囲外」の結果（すなわち、参照範囲殻外れている結果）について、ＣｅｎｔｉｂｌｉｃｋまたはＣＢ系は、参照範囲の上限および下限の倍数を採用することができる。したがって、２００のＣＢ値を有する試験結果は、それが正規の上限の２倍であることを意味することができる。一方で、１２０のＣＢ値を有する試験結果は、それが上限よりも２０パーセント高いことを示すことができる。−５０のＣＢ値を有する試験結果は、それが参照範囲の下限を５０パーセント下回ることを示すことができる。
【００５１】
範囲外の結果に対する１０進相当値は、それぞれ、式（４）および（５）を使用した時に、低い（Ｌ）値および高い（Ｈ）値の１０進相当に基づいて決定することができる。
ＣＢ（高い結果）＝ＣＵ×１００／Ｈ  （４）
ＣＢ（低い結果）＝−（１００−ＣＵ×１００／Ｌ）  （５）
したがって、範囲外の高い、および低い値は、それぞれ、ＣｅｎｔｉＢｌｉｃｋスケールを使用して、高い（Ｈ）、および低い（Ｌ）値の倍数として表すことができる。範囲外の高い結果を従来の単位（ＣＵ）に戻すには、ＣＢ値を１０進に変換して、それを参照範囲の上限に掛けることしか必要としない。範囲外の低いＣＢ結果をＣＵに戻す変換については、ＣＢを１０進に変換し、それを下限に掛けて、次いで、その結果を下限から引くことしか必要としない。
【００５２】
さらに図３を参照すると、ステップ３０４は、結果が参照範囲の範囲内に入っているか、または参照範囲から外れているかに基づいて、結果データをＣｅｎｔｉＢｌｉｃｋ単位に変換するための、種々のサブプロセスを含むことができる。したがって、ステップ３０６において、プロセス３００は、試験結果が関連する参照範囲の範囲内に入っているかどうかを決定する。肯定の場合、次いで、プロセスは、ステップ３０８において、式（３）を使用してＣｅｎｔｉＢｌｉｃｋ「範囲の範囲内」の値を計算する。しかしながら、試験結果が、「範囲外」の結果であると決定された場合、プロセス３００は、決定ステップ３１０へ進む。決定ステップ３１０において、プロセス３００は、試験結果が参照範囲の上限よりも大きいかどうかを決定する。肯定の場合、次いで、プロセスは、式（４）を使用して「範囲を上回る」Ｃｅｎｔｉｂｌｉｃｋ値を計算する。ステップ３１０において、上限値よりも大きくなかった場合、プロセスは、ステップ３１４において、式（５）を使用して、「範囲を下回る」Ｃｅｎｔｉｂｌｉｃｋ値を計算する。
【００５３】
プロセス３００は、次いで、Ｃｅｎｔｉｂｌｉｃｋ値を格納することができる。例えば、Ｃｅｎｔｉｂｌｉｃｋ値は、図１のシステムの中のデータベース１１２に格納することができる。上述のように、ＣｅｎｔｉＢｌｃｉｋ値は、参照範囲を考慮するので、関連する参照範囲を格納する必要はない。参照範囲が必要である場合は、例えば、式（４）および（５）を使用することによって、参照範囲の上限および下限を計算して、参照基準の変数の上限および下限の値を求めることができる。
【００５４】
最後に、プロセス３００は、次いで、ステップ３１８において、ＣｅｎｔｉＢｌｉｃｋ値を使用して、試験結果を報告することができる。本明細書に論じられているように、値を報告するために種々の方法が使用されてもよく、データをハンドヘルドコンピュータに送信すること、および簡単かつ好都合な試験の分析および解釈のために、コンピュータ上に表示することを含む。
【００５５】
以下の表Ａは、種々の例示的な検体試験および従来の単位（ＣＵ）およびＣｅｎｔｉＢｌｉｃｋ単位（ＣＢ）の対応する試験結果の値を示す。表Ａはまた、上限および下限のカットオフを従来の単位の各検体試験のそれぞれの参照範囲に提供する。
【００５６】
【表１】
2012500403.tif 000003
表Ａに示されるように、従来の単位（ＣＵ）の４ｍｍｏｌ／Ｌのカリウム（Ｋ）の結果は、ＣＢスケールの２０のＣＢに変換することができ、試験結果が正規範囲の中にあることを示している。したがって、再検討エンティティは、試験結果が正規範囲に入っていることを決定するために、ＣｅｎｔｉＢｌｉｃｋ値を受信することしか必要としない。これに対して、再検討エンティティは、従来の単位（ｍｍｏｌ／Ｌ）の試験結果しか受信しないので、結果を解釈するために、再検討エンティティは、参照範囲を決定するように、参照範囲を格納するか、または他のソースを参照しなければならなかった。
【００５７】
さらに表Ａを参照すると、８ｍｍｏｌ／ＬのカリウムはＣＢスケール上の１３３のＣＢに等しくなることができ、正規範囲の上限を３３パーセント上回る結果を示す。２ｍｍｏｌ／Ｌのカリウムのレベルは、ＣＢスケール上の−４３のＣＢに等しくなることができ、正常範囲の下限を４３パーセント下回る結果を示す。したがって、再検討エンティティは、従来の単位よりも容易にＣｅｎｔｉＢｌｉｃｋ単位で試験結果を解釈することができる。
【００５８】
種々の実施形態によれば、従来の単位の試験結果をＣｅｎｔｉＢｌｉｃｋ単位に変換するために使用すべき適切な参照範囲は、種々の種類の情報に基づいて選択することができる。例えば、一実施形態において、患者情報は、適切な参照範囲を選択するために使用されてもよい。当業者が理解できるように、５５歳の女性の正規範囲の範囲内に入る正規試験は、１８歳の男性の正規範囲と異なり得る。したがって、本発明の種々の実施形態によれば、患者の年齢および性別等の患者情報は、例えば、適切な参照範囲を選択するために使用することができる。当然、他の種類の情報を使用することができる。
【００５９】
本発明の実施形態はまた、実験室／医療測定値または試験結果を報告する、グラフィカルユーザインターフェースアプローチを支持することができる。結果は、ユーザにＣＢ単位でグラフ様式に表示することができ、医師が、コンピュータスクリーン（ハンドヘルドのＰＤＡ／無線電話デバイスを含む）上の水平または垂直バーを使用して、結果を検討することができるようにする。
【００６０】
図４は、本発明の例示的な一実施形態に従う、コンピュータ２００上の結果報告アプリケーションのグラフィカルユーザインターフェース４００（以下、ＧＵＩ４００）を示す。この実施例において、ＧＵＩ４００上に表示されるデータは、表Ａに列記された試験結果である。図に示されるように、ＧＵＩ４００は、−１００から＋２５０のスケールを有する棒グラフを含む。実験室試験結果の名前およびＣＢ単位の関連する試験結果が、棒グラフ上に表示される。理解できるように、医師は、単純に、水平スライドバー４０２を使用して横にナビゲートし、次いで、垂直スライドバー４０４を使用して、異常な結果が生じた時にそれを見るように、上下にナビゲートすることによって、グラフ全体を再検討することができる。したがって、医師は、１）異なる実験室（参照実験室および病院の実験室）、２）病院内の異なる方法（ポイントオブケアのグルコース対中央実験室）からの、実験室および他の医療データ、ならびに他の全てのデータを１回の走査で再検討することができる。
【００６１】
オプションとして、ユーザがＧＵＩ４００の選択可能な領域を選択する等のトリガイベントに応答して、ポップアップメニューまたは表示ウィンドウをＧＵＩ４００上に出現させることができる。一実施例において、ユーザは、ポップアップボックス４０８をＧＵＩ４００上に表示させることができる、バー４０６を選択することができる。ポップアップボックス４０８は、バー４０６に関する試験結果と関連する情報を含むことができる。この情報は、再検討エンティティが試験結果を解析または解釈する際に有用になり得る、あらゆる種類の情報を含むことができる。このような情報には、関連する試験コード、試験の名称、試験試料の収集日付、正確なＣｅｎｔｉＢｌｉｃｋ値、高いまたは低い範囲指定、別の再検討エンティティまたは検査技師からの添付コメント、標本が溶血するかどうか、試験結果の従来の単位値、従来の参照範囲値、測定単位等が挙げられる。
【００６２】
例示のために、再検討エンティティは、参照範囲（一致する年齢および性別）とともに従来の結果の表示、測定単位、任意の高および低の結果フラグ、およびＧＵＩ４００の中のバーのうちの１つを選択することによって、「溶血」、「結果呼び出し」、「臨界値」等の結果に対して添付されたあらゆるコメントをトリガすることができる。加えて、結果の解釈に影響を及ぼす可能性のある重要なコメントは、コメントに注目させるテキストの色を伴うＣＢ結果バーとともに、（ポイントアンドクリックを必要とせずに）表示されるべきである。例えば、コメント「溶血」は、カリウムおよび乳酸脱水素酵素（ＬＤＨ）のような結果について、ＣＢバー表示で報告することができ、溶血は、実験室結果に有意な効果を有することができる。再検討エンティティはまた、再検討プロセスの一部として注記されたコメントを記録するために、コメントを選択することができる。このコメントの再検討特徴の確認は、後の、再検討ロギング／文書化／清算目的のために格納することができる。
【００６３】
ＧＵＩ４００はまた、ＧＵＩ上で他の機能を行うための、ドロップダウンメニュー（図示せず）を含むことができる。このような機能は、グラフのスケールの変更、他の試験結果を再検討するオプション等を含むことができる。
【００６４】
新しいシステムの別の特徴は、同じスケールの棒グラフまたは折れ線グラフで、同じ結果をプロットできるようにすることができる。例えば、肝毒性薬物について、実験室の治療薬レベルとともに、肝臓酵素をプロットすることができる。
【００６５】
さらに図４を参照すると、正規および異常な結果をハイライトするために、正規範囲（０〜１００）の範囲内に入るそれらの結果を、緑等の第１の色で表示し、一方で、正規範囲から外れた異常な結果は、赤等の第２の色で表示することができる。さらに、異常な結果の色合いは、その結果が正規範囲からどのくらい外れているのかに基づいて変動させることができる。例えば、正規範囲に近い結果は、明るい赤色の色合いにすることができ、一方で、正規範囲から遠く外れた結果は、暗い赤色の色合いにすることができる。また、いくつかの実施形態によれば、重要な結果（すなわち、正規範囲からはるかに外れたもの）は、再検討する医師が再検討を確認するようにバーの上をクリックするまで、点滅させることができる。
【００６６】
いくつかの実施形態によれば、試験結果は、コンピュータのリポジトリディスク媒体上の１つの場所に格納することだけしか必要とせず、ＣＢおよび従来の結果の両方として格納する必要はない。そうすることで、ＣＢの系と従来の系との間の調和を促進することができる。次いで、ソフトウェアは、再検討／表示、報告の印刷、研究、または他の目的のためにデータが必要である時に、所望に応じて結果を相互変換するために使用することができる。実際に、ある医師は、従来の単位を使用して全て医療結果を考察することを選択してもよく、一方で、他の医師は、ＣＢ単位系の排他的使用をデフォルトとすることを選択してもよい。いくつかの再検討エンティティは、必要に応じて、ＣＢおよび従来の単位を使用して、前後にトグルすることを選択してもよい。ＣＢおよび従来の結果報告と格納との間の相互変換のための方程式は、この目的のために使用することができる。
【００６７】
いくつかの実施形態によれば、試験結果は、ＣＢ単位で格納される。このアプローチは、診療所が複数の参照実験室であり、複数の機器が同じ結果を報告するために使用される際に有益である。ＣＢ単位で結果を格納することで、従来の単位の場合であっても、同じ検体に関するこれらの結果を同時に表示および再検討できるようにすることができ、結果は、異なる正規参照範囲および単位とすることができる。また、病院内では、試験が異なる分析器上で行われた場合であっても、グルコースおよび他の検体のためのポイントオブケアの試験結果を、中央コア実験室の結果とともに表示することができる。この場合、ＣＢ表示バーは、異なる方法を使用して結果が得られたことを示す、カーソルアドレッシング可能な注釈アイコンを含有することができる。カーソルをこの注釈アイコン上に配置すると、使用した方法、参照実験室の名称、または病院試験の際のルーチンのためのコア実験室の指標を表示することができる。
【００６８】
したがって、ＧＵＩ４００は、方法または結果の起源に関わらず、全ての実験室／医療結果を１つにまとめることができる。コア実験室、参照実験室、ポイントオブケアは全て、再検討する医師が、従来の単位、コメント、方法、結果フラグ等に掘り下げることができるように、カーソルおよびクリックアドレッシング可能なアイコンとともに、再検討のために一緒に表示することができる。ＧＵＩ４００は、異なる方法および機器によって行われた過去のデータを、ＣＢに変換した後の現在の結果と同時に表示できるようにすることができる。ＣＢ表示バー上の指標は、結果が、過去のもの（または「以前に再検討したもの」）であることを示すことができ、また、ユーザが、データ範囲に基づいてそのようなデータを選択および分類し、よって、データをリアルタイムでトレンディングできるようにすることができる。サムネイル折れ線グラフは、ＣＢバーとともに使用することができ、ユーザは、同じグラフ上で２つ以上の医療結果を比較することができる。コメントを有する折れ線グラフ上の点は、アイコンを含むことができ、よって、ユーザは、クリックすること、およびコメントに注目することができる。ユーザの選好に基づいて、コメントアイコンが付加、または隠されてもよい。
【００６９】
本明細書で説明されるプロセスを実装しているコンピュータが読み取り可能な命令は、コンピュータに基づくシステム、プロセッサ含有システム、または命令実行システム、装置、もしくはデバイスから命令を取り出して、命令を実行することができる他のシステム等の、命令実行システム、装置、もしくはデバイスによって、またはこれとともに使用するために、あらゆるコンピュータが読み取り可能な媒体上に格納すること、および輸送することができることに留意されたい。この文書の文脈において、「コンピュータが読み取り可能な媒体」は、命令実行システム、装置、もしくはデバイスによって、またはそれとともに使用するために、プログラムを含む、格納する、通信する、伝搬する、または輸送することができる、あらゆる媒体であり得る。コンピュータが読み取り可能な媒体は、例えば、電子的、磁気的、光学的、電磁的、赤外線、または半導体のシステム、装置、デバイス、または伝搬媒体であり得るが、これらに限定されない。コンピュータが読み取り可能な媒体のより具体的な例（網羅的でないリスト）には、次のようなものが挙げられる。１つ以上の導線を有する電気接続（電子）、ポータブルコンピュータディスケット（磁気）、ランダムアクセスメモリ（磁気）、リードオンリメモリ（ＲＯＭ）（磁気）、消去可能なプログラム可能なリードオンリメモリ（ＥＰＲＯＭ）（磁気）、光ファイバ（光学）、ＣＤ、ＣＤ−Ｒ、ＣＤ−ＲＷ、ＤＶＤ、ＤＶＤ−Ｒ、もしくはＤＶＤ−ＲＷ等のポータブル光ディスク、またはコンパクトフラッシュ（登録商標）カード、セキュアデジタルカード、ＵＳＢメモリデバイス、メモリースティック等のフラッシュメモリ、等。コンピュータが読み取り可能な媒体はさらに、プログラムテキストを、紙または他の媒体の光学走査を介して電子的に取り込み、次いで、必要に応じて、好適な手法でコンパイル、翻訳、あるいは処理し、次いで、コンピュータメモリの中に格納することができるので、プログラムがその上に印刷される、紙または他の好適な媒体であり得ることに留意されたい。
【００７０】
上述の説明は、説明の目的のために、具体的な実施形態に関して説明してきた。しかしながら、上述の例示的な議論は、網羅的であること、または開示された厳密な形態に本発明を限定することを意図したものではない。上述の教示に照らして、多数の修正および変形が可能である。本実施形態は、本発明の原理およびその実用的な用途の説明を促進するために選択された説明されたものであり、それによって、当技術分野の当業者は、本発明、および意図される特定の使用に適するように様々な修正を伴う様々な実施形態を、最良に利用することが可能になる。
【図１】
2012500403.tif 000004
【図２】
2012500403.tif 000005
【図３】
2012500403.tif 000006
【図４】
2012500403.tif 000007
【国際調査報告】
2012500403.tif 000008
2012500403.tif 000009
2012500403.tif 000010